(57)【要約】【課題】権利対象のコンテンツを保護しつつ、権利対象のコンテンツに対する集客性を高めること。【解決手段】本願にかかる情報処理装置は、取得部と、コンテンツ制御部とを有する。取得部は、所定のサービスにおいてコンテンツを共有させる際の権利対象に関する情報である対象情報を取得する。コンテンツ制御部は、取得部により取得された対象情報に基づいて、コンテンツに対する所定のサービスでの視聴を制限する所定の制御処理を行う。【選択図】図３
2020072397.tif 000002
【特許請求の範囲】
【請求項１】
所定のサービスにおいてコンテンツを共有させる際の権利対象に関する情報である対象情報を取得する取得部と、
前記取得部により取得された対象情報に基づいて、前記コンテンツに対する前記所定のサービスでの視聴を制限する所定の制御処理を行うコンテンツ制御部と
を有することを特徴とする情報処理装置。
【請求項２】
前記取得部は、前記権利対象として、前記コンテンツの配信を行う配信業者に係る権利処理の対象となっているオブジェクトに関する前記対象情報を取得する
ことを特徴とする請求項１に記載の情報処理装置。
【請求項３】
前記取得部は、前記対象情報として、前記オブジェクトであって、前記所定のサービスにおいて共有される前記コンテンツに含まれる場合に視聴を制限するよう指定されるオブジェクトを示す情報を取得する
ことを特徴とする請求項２に記載の情報処理装置。
【請求項４】
前記コンテンツ制御部は、前記対象情報に基づいて、前記所定のサービスにおいて共有される前記コンテンツに、前記オブジェクトが含まれると判定された場合には、当該オブジェクトに対して前記所定の制御処理を行う
ことを特徴とする請求項２または３に記載の情報処理装置。
【請求項５】
前記コンテンツ制御部は、前記対象情報に基づいて、前記コンテンツのうち、前記所定のサービスで共有させる一部分である共有コンテンツであって、ユーザにより指定された共有コンテンツに、前記オブジェクトが含まれると判定された場合には、当該オブジェクトに対して前記所定の制御処理を行う
ことを特徴とする請求項４に記載の情報処理装置。
【請求項６】
前記コンテンツ制御部は、前記所定の制御処理として、前記オブジェクトの少なくとも一部分に対して所定の編集を加える
ことを特徴とする請求項２〜５のいずれか１つに記載の情報処理装置。
【請求項７】
前記コンテンツ制御部は、前記所定の制御処理として、前記オブジェクトの少なくとも一部分をぼかすぼかし処理を行う
ことを特徴とする請求項２〜６のいずれか１つに記載の情報処理装置。
【請求項８】
前記コンテンツ制御部は、前記所定の制御処理として、前記オブジェクトの発話音声を加工する音声加工処理を行う
ことを特徴とする請求項２〜７のいずれか１つに記載の情報処理装置。
【請求項９】
前記コンテンツ制御部は、前記音声加工処理として、前記発話音声の音程を変更する変更する変更処理、前記発話音声を消去する処理、前記発話音声のピッチを変更する変更する変更処理、前記発話音声の音量を変更する変更する変更処理のうちの少なくともいずれか１つを行う
ことを特徴とする請求項８に記載の情報処理装置。
【請求項１０】
前記取得部は、前記権利対象として、前記コンテンツの配信を行う配信業者に係る権利処理の対象となっているコンテンツに関する前記対象情報を取得する
ことを特徴とする請求項１〜９のいずれか１つに記載の情報処理装置。
【請求項１１】
前記取得部は、前記対象情報として、前記コンテンツに含まれる一部分のコンテンツであって、前記所定のサービスでの共有を禁止するよう指定される指定コンテンツを示す情報を取得する
ことを特徴とする請求項１０に記載の情報処理装置。
【請求項１２】
前記取得部は、前記指定コンテンツとして、前記コンテンツの配信を行う配信業者に係る権利処理の対象となっているオブジェクトを含む指定コンテンツを示す情報を取得する
ことを特徴とする請求項１１に記載の情報処理装置。
【請求項１３】
前記コンテンツ制御部は、前記対象情報に基づいて、前記所定のサービスにおいて共有される前記コンテンツに、前記対象情報が示すコンテンツが含まれると判定された場合には、当該対象情報が示すコンテンツに対して前記所定の制御処理を行う
ことを特徴とする請求項１１または１２に記載の情報処理装置。
【請求項１４】
前記コンテンツ制御部は、前記対象情報に基づいて、前記コンテンツのうち、前記所定のサービスで共有させる一部分である共有コンテンツであって、ユーザにより指定された共有コンテンツに、前記対象情報が示すコンテンツが含まれると判定された場合には、当該対象情報が示すコンテンツに対して、前記所定の制御処理を行う
ことを特徴とする請求項１３に記載の情報処理装置。
【請求項１５】
前記コンテンツ制御部は、前記所定の制御処理として、前記対象情報が示すコンテンツを前記所定のサービスで共有不可能な状態に制御する
ことを特徴とする請求項１１〜１４のいずれか１つに記載の情報処理装置。
【請求項１６】
前記コンテンツ制御部は、前記所定の制御処理として、前記所定のサービスにおいて共有される前記コンテンツの中から、前記対象情報が示すコンテンツを除外する
ことを特徴とする請求項１５に記載の情報処理装置。
【請求項１７】
情報処理装置が実行する情報処理方法であって、
所定のサービスにおいてコンテンツを共有させる際の権利対象に関する情報である対象情報を取得する取得工程と、
前記取得工程により取得された対象情報に基づいて、前記コンテンツに対する前記所定のサービスでの視聴を制限する所定の制御処理を行うコンテンツ制御工程と
含むことを特徴とする情報処理方法。
【請求項１８】
所定のサービスにおいてコンテンツを共有させる際の権利対象に関する情報である対象情報を取得する取得手順と、
前記取得手順により取得された対象情報に基づいて、前記コンテンツに対する前記所定のサービスでの視聴を制限する所定の制御処理を行うコンテンツ制御手順と
をコンピュータに実行させることを特徴とする情報処理プログラム。
【発明の詳細な説明】
【技術分野】
【０００１】
本発明の実施形態は、情報処理装置、情報処理方法および情報処理プログラムに関する。
【背景技術】
【０００２】
近年、インターネットの飛躍的な普及および配信技術の向上により、インターネットを介して多様なコンテンツの閲覧が可能になっている。例えば、映画やドラマなどの動画コンテンツを、インターネットを介して閲覧する者も多い。
【０００３】
ここで、特許文献１には、ユーザの嗜好パターンに応じた番組を容易かつ迅速に提供可能とする技術について開示されている。
【先行技術文献】
【特許文献】
【０００４】
【特許文献１】特開２０１５−１３６０２０号公報
【発明の概要】
【発明が解決しようとする課題】
【０００５】
しかしながら、上記の従来技術では、権利対象のコンテンツを保護しつつ、権利対象のコンテンツに対する集客性を高めることができるとは限らない。例えば、上記の従来技術では、情報処理装置は、ユーザが閲覧しようと指定したコンテンツとは別の領域に、ユーザの嗜好パターンに合致した裏番組や所定の動画サイトに投稿された動画像を一覧表示する。
【０００６】
このような上記の従来技術により、例えば、ユーザは視聴したい動画をより検索しやすくなる可能性があるものの、これによって必ずしも権利対象のコンテンツを保護しつつ、権利対象のコンテンツに対する集客性を高めることができるとは限らない。
【０００７】
本願は、上記に鑑みてなされたものであって、権利対象のコンテンツを保護しつつ、権利対象のコンテンツに対する集客性を高めることができる情報処理装置、情報処理方法および情報処理プログラムを提供することを目的とする。
【課題を解決するための手段】
【０００８】
本願にかかる情報処理装置は、所定のサービスにおいてコンテンツを共有させる際の権利対象に関する情報である対象情報を取得する取得部と、前記取得部により取得された対象情報に基づいて、前記コンテンツに対する前記所定のサービスでの視聴を制限する所定の制御処理を行うコンテンツ制御部とを有することを特徴とする。
【発明の効果】
【０００９】
実施形態の一態様によれば、権利対象のコンテンツを保護しつつ、権利対象のコンテンツに対する集客性を高めることができるといった効果を奏する。
【図面の簡単な説明】
【００１０】
【図１】図１は、実施形態にかかる情報処理の一例を示す図である。
【図２】図２は、実施形態にかかる情報処理に含まれる制御処理の一例を示す図である。
【図３】図３は、実施形態にかかる情報処理システムの構成例を示す図である。
【図４】図４は、実施形態にかかる情報処理装置の構成例を示す図である。
【図５】図５は、実施形態にかかる動画コンテンツ記憶部の一例を示す図である。
【図６】図６は、実施形態にかかる対象情報記憶部の一例を示す図である。
【図７】図７は、実施形態にかかるシェア情報記憶部の一例を示す図である。
【図８】図８は、実施形態にかかる情報処理手順を示すフローチャートである。
【図９】図９は、情報処理装置の機能を実現するコンピュータの一例を示すハードウェア構成図である。
【発明を実施するための形態】
【００１１】
以下に、本願にかかる情報処理装置、情報処理方法および情報処理プログラムを実施するための形態（以下、「実施形態」と呼ぶ）について図面を参照しつつ説明する。なお、この実施形態により本願にかかる情報処理装置、情報処理方法および情報処理プログラムが限定されるものではない。また、以下の実施形態において、同一の部位には同一の符号を付し、重複する説明は省略される。
【００１２】
〔１．情報処理の一例〕
まず、図１を用いて、実施形態にかかる情報処理の一例について説明する。図１は、実施形態にかかる情報処理の一例を示す図である。実施形態にかかる情報処理は、図１に示す情報処理装置１００によって行われる。
【００１３】
図１の説明に先立って、図３を用いて、実施形態にかかる情報処理システムについて説明する。図３は、実施形態にかかる情報処理システム１の構成例を示す図である。実施形態にかかる情報処理システム１は、図３に示すように、端末装置１０と、提供主装置３０と、ＳＮＳ装置６０と、情報処理装置１００とを含む。端末装置１０、提供主装置３０、ＳＮＳ装置６０、情報処理装置１００は、ネットワークＮを介して有線または無線により通信可能に接続される。なお、図１に示す情報処理システム１には、複数台の端末装置１０や、複数台の提供主装置３０や、複数台のＳＮＳ装置６０や、複数台の情報処理装置１００が含まれてよい。ＳＮＳは、Social  Networking  Serviceの略である。
【００１４】
端末装置１０は、ユーザによって利用される情報処理装置である。端末装置１０は、例えば、スマートフォンや、タブレット型端末や、ノート型ＰＣ（Personal  Computer）や、デスクトップＰＣや、携帯電話機や、ＰＤＡ（Personal  Digital  Assistant）等である。
【００１５】
例えば、端末装置１０は、動画コンテンツを再生するプレーヤーを含む動画サイト（「動画サイトＳＴ」とする）を表示画面に表示する。また、端末装置１０は、動画コンテンツを再生する専用のアプリケーション、言い換えれば、動画コンテンツを再生する専用のプレーヤーを制御するアプリケーションがインストールされる場合がある。
【００１６】
具体的には、動画サイトＳＴでは、ブラウザ上で機能するプレーヤー（ブラウザ版プレーヤー）で動画コンテンツを閲覧させることもできるし、アプリケーション（アプリ版プレーヤー）を端末装置１０にインストールさせることにより動画コンテンツを閲覧させることもできる。また、ブラウザ版プレーヤーおよびアプリ版プレーヤーのいずれが利用される場合であっても、動画コンテンツはストリーミング配信される。
【００１７】
また、後述するが、ユーザは、例えば、動画コンテンツを所定のサービス（例えば、ＳＮＳ）上の友だちと共有（シェア）したいと考える場合、かかる動画コンテンツのうち、共有したい部分を指定することで、指定した部分を所定のサービス（例えば、ＳＮＳ）に投稿することができる。
【００１８】
提供主装置３０は、実施形態にかかる情報処理装置１００を管理する事業主（「事業主Ｔ２」とする）に各種動画コンテンツを提供する提供主、すなわち、コンテンツプロバイダーによって利用される情報処理装置である。また、提供主装置３０を管理する事業主を事業主Ｍ１とする。提供主装置３０は、例えば、事業主Ｍ１の操作に応じて、動画コンテンツを情報処理装置１００に入稿するサーバ装置である。このようなことから、事業主Ｍ１は、インターネット配信用の動画コンテンツ（番組）を製作したり、製作したテレビ番組をインターネット配信用に編集し直す。そして、事業主Ｍ１は、製作した自社のコンテンツが、事業主Ｔ２により運営される動画サイトＳＴを介してユーザに配信されるよう、動画コンテンツを情報処理装置１００に入稿する。したがって、事業主Ｍ１は、いわゆるコンテンツプロバイダーともいえる。
【００１９】
ＳＮＳ装置６０は、ＳＮＳあるいは動画共有サービスを提供するサーバ装置である。本実施形態では、以下に示すサービスＳＡ１を提供するサーバ装置とする。ＳＮＳ装置６０は、情報処理装置１００によってアップロードされたコンテンツを、サービスＳＡ１を利用するユーザ間において共有可能なように、サービスＳＡ１に投稿する。
【００２０】
ここで、実施形態にかかる情報処理が行われるにあたっての前提について説明する。事業主Ｔ２が、事業主Ｍ１によって製作された動画コンテンツＶＣ１を配信する場合を例に挙げる。動画コンテンツＶＣ１は各種の権利対象となっていることから、事業主Ｔ２は、事業主Ｍ１に無断で動画コンテンツＶＣ１を配信することはできない。例えば、動画コンテンツＶＣ１は著作権の権利対象となっているし、動画コンテンツＶＣ１内に登場する登場人物、建造物、作品等は肖像権の権利対象となっている。事業主Ｍ１は、動画コンテンツＶＣ１を製作するにあたって、必要な権利処理を行っているため、著作権や肖像権をはじめとする各種の権利は、事業主Ｍ１に帰属している。このため、事業主Ｔ２は、動画サイトＳＴで動画コンテンツＶＣ１を配信するにあたって、事業主Ｍ１の許諾を得る（契約する）一連のプロセスである権利処理を行う。
【００２１】
事業主Ｍ１の許諾が得られれば、事業主Ｔ２が、動画サイトＳＴで動画コンテンツＶＣ１を配信することに問題はない。しかし、事業主Ｍ１は、権利上の問題等から、動画コンテンツＶＣ１を動画サイトＳＴ以外のサービス等にむやみに拡散されることを好ましく思わない場合がある。上記のとおり、動画サイトＳＴは、ユーザに対して、動画コンテンツの一部（例えば、再生時間１２０分のうちの任意の３０分といったワンシーン）をＳＮＳや動画共有サービスで共有可能にする機能（コンテンツ共有機能）を有するため、動画コンテンツＶＣ１がユーザの手によって、様々なサービスでユーザ間で共有される可能性がある。事業主ＴＭは、このような状況を好まない場合がある。
【００２２】
一方で、コンテンツ共有機能は、ユーザにとって非常に便利な機能であるし、事業主Ｔ２にとっても有用な機能であるため、事業主Ｔ２は、コンテンツ共有機能を維持したいと考える。この例として、例えば、ユーザが動画コンテンツのワンシーンをＳＮＳに投稿することで、他のユーザに共有させてくれると、ワンシーンではなく動画コンテンツ１本全て視聴したいといったように、動画コンテンツに対して興味を持つユーザが出てくる。こうしたユーザは、動画コンテンツ１本全てを視聴するために、動画サイトＳＴに訪問し、例えば、会員登録してくれる可能性が高い。このようなことから、ユーザが動画コンテンツのワンシーンをＳＮＳに投稿してくれるということは、動画サイトＳＴへの集客性が高まることにつながるため、事業主Ｔ２にとってコンテンツ共有機能は有益な機能といえる。
【００２３】
したがって、上記のような権利対象に対する権利侵害とならない範囲内で動画コンテンツを共有可能にするための情報処理が必要となる。
【００２４】
以上のような前提および問題点を踏まえて、実施形態にかかる情報処理装置１００は、権利対象に対する権利侵害とならない範囲内で動画コンテンツを共有可能にするための情報処理として、以下に示す実施形態にかかる情報処理を行う。具体的には、情報処理装置１００は、所定のサービスにおいてコンテンツを共有させる際の権利対象に関する情報である対象情報を取得し、取得した対象情報に基づいて、コンテンツに対する所定のサービスでの視聴を制限する所定の制御処理を行う。
【００２５】
例えば、情報処理装置１００は、権利対象として、コンテンツの配信を行う配信業者に係る権利処理の対象となっているオブジェクトに関する対象情報を取得する。具体的には、情報処理装置１００は、対象情報として、オブジェクトであって、所定のサービスにおいて共有されるコンテンツに含まれる場合に視聴を制限するよう指定されるオブジェクトを示す情報を取得する。
【００２６】
情報処理装置１００は、対象情報に基づいて、コンテンツのうち、所定のサービスで共有させる一部分である共有コンテンツであって、ユーザにより指定された共有コンテンツに、オブジェクトが含まれると判定された場合には、当該オブジェクトに対して所定の制御処理を行う。例えば、情報処理装置１００は、所定の制御処理として、権利対象となっているオブジェクトの少なくとも一部分をぼかすぼかし処理を行う。
【００２７】
以下、実施形態にかかる情報処理の一例について説明する。図１の例では、コンテンツを動画コンテンツとする。しかし、コンテンツは、動画コンテンツに限定されるものではなく、例えば、画像コンテンツであってもよい。また、図１の例では、所定のサービスをＳＮＳであるサービスＳＡ１とする。また、コンテンツの配信を行う配信業者は、情報処理装置１００を管理する事業主Ｔ２である。また、図１の例では、端末装置１０は、ユーザＵ１によって利用されるものとする。しかしながら、端末装置１０は各ユーザ毎に存在する。また、ユーザＵ１は、端末装置１０を操作し、動画サイトＳＴを訪問し、動画コンテンツＶＣ１を視聴し終わったものとする。そして、ユーザＵ１は、動画コンテンツＶＣ１のうちのワンシーンを、サービスＳＡ１の他のユーザとの間で共有しようとしているものとする。また、動画コンテンツＶＣ１は、事業主Ｍ１によって製作および提供されたコンテンツであるとする。
【００２８】
なお、図１の例では、動画コンテンツＶＣ１をはじめとする各種動画コンテンツは、プレーヤーＰＬ１によって再生制御される。例えば、プレーヤーＰＬ１は、ユーザＵ１によって再生ボタンＢＴ１が押下された場合には、動画コンテンツＶＣ１をプレーヤーＰＬ１に対応する表示領域（点線で示される矩形の領域）内に再生表示する。また、図１では、不図示であるが、ユーザに対する再生制御を行わせるシークバー、早送りボタン、巻き戻しボタン、一時停止ボタン等も表示されてよい。
【００２９】
さて、具体的な説明に入ると、まず、ユーザＵ１は、動画コンテンツＶＣ１のうち、サービスＳＡ１で共有させる一部分（ワンシーン）である共有コンテンツを情報処理装置１００に対して指定する（ステップＳ１１）。図１の例では、情報処理装置１００は、動画コンテンツＶＣ１の再生時間（１２０分）のうち、共有コンテンツの開始位置に相当する時間位置を指定させることで、指定された時間位置から３０秒後までの３０秒間のシーンを共有コンテンツとして認識するものとする。なお、３０秒は一例に過ぎず、例えば、１０秒であってもよい。そして、図１の例では、ユーザＵ１は、共有コンテンツの開始位置として、時間位置４０分を指定したものとする。つまり、ユーザＵ１は、動画コンテンツＶＣ１の時間位置４０分を開始位置とする共有コンテンツＳｈＣ１１を指定したものとする。
【００３０】
また、ユーザＵ１は、時間位置４０分の指定を示す指定情報を情報処理装置１００に送信する（ステップＳ１２）。例えば、ユーザＵ１は、時間位置４０分を開始位置とする共有コンテンツＳｈＣ１１のサービスＳＡ１への投稿、すなわちサービスＳＡ１の他のユーザ間での共有を指示する投稿ボタンＢＴ２を押下することにより、指定情報を情報処理装置１００に送信する。指定情報には、共有コンテンツＳｈＣ１１の一部とするメイン（基本）の動画コンテンツが動画コンテンツＶＣ１であることを示す情報（例えば、図５に示すコンテンツＩＤ）も含まれる。
【００３１】
情報処理装置１００は、ユーザから共有コンテンツの指定を受け付ける（ステップＳ１３）。図１の例では、情報処理装置１００は、ユーザＵ１から共有コンテンツの指定を受け付ける。具体的には、情報処理装置１００は、ユーザＵ１から時間位置４０分の指定を示す指定情報を受け付けることで、時間位置４０分を開始位置とする３０秒間の動画コンテンツＶＣ１、すなわち時間位置４０分〜４０．５分に対応する動画コンテンツＶＣ１を共有コンテンツＳｈＣ１１として認識する。
【００３２】
次に、情報処理装置１００は、サービスＳＡ１においてコンテンツを共有させる際の権利対象に関する情報である対象情報に基づいて、ユーザＵ１により指定された共有コンテンツＳｈＣ１１に権利対象が含まれるか否かを判定する（ステップＳ１４）。例えば、情報処理装置１００は、権利対象として、コンテンツの配信を行う配信業者（事業主Ｔ２）に係る権利処理の対象となっているオブジェクトに関する対象情報に基づいて、共有コンテンツＳｈＣ１１に権利処理の対象となっているオブジェクトが含まれるか否かを判定する。例えば、情報処理装置１００は、オブジェクトであって、サービスＳＡ１において共有される共有コンテンツＳｈＣ１１に含まれる場合に視聴を制限するよう指定されるオブジェクトを示す対象情報に基づいて、共有コンテンツＳｈＣ１１に権利処理の対象となっているオブジェクトが含まれるか否かを判定する。
【００３３】
情報処理装置１００は、ステップＳ１４での判定処理に対象情報記憶部１２２に記憶される対象情報を用いる。ここで、対象情報記憶部１２２について説明する。対象情報記憶部１２２は、所定のサービス（例えば、サービスＳＡ１）においてコンテンツを共有させる際の権利対象に関する情報である対象情報を記憶する。
【００３４】
図１の例では、対象情報記憶部１２２は、「提供主ＩＤ」、「ＮＧオブジェクト」といった項目を有する。「提供主ＩＤ」は、動画コンテンツの提供主（動画コンテンツの製作主、または、コンテンツプロバイダー）を識別する識別情報を示す。「ＮＧオブジェクト」は、所定のサービス（例えば、サービスＳＡ１）において共有される共有コンテンツに含まれる場合に視聴を制限するよう指定されるオブジェクトを示す。また、「ＮＧオブジェクト」は、事業主Ｔ２に係る権利処理の対象となっているオブジェクトと言い換えることができる。そして、かかる指定は、提供主によって行われる。例えば、提供主は、肖像権等に関与する人物、建造物、作品等のオブジェクトを「ＮＧオブジェクト」として指定する。すなわち、図１の例では、提供主ＩＤ「Ｍ１」によって識別される事業主（事業主Ｍ１）が、「人物Ｏ１および人物Ｏ２」がユーザによって指定された共有コンテンツに含まれる場合には、「人物Ｏ１および人物Ｏ２」に対して視聴制限を設けるよう指定している例を示す。
【００３５】
なお、「ＮＧオブジェクト」は、ＮＧオブジェクトを示すテキスト（例えば、人物名、建造物名、作品名等）であってもよいし、ＮＧオブジェクトを示す画像であってもよい。つまり、「ＮＧオブジェクト」は、ＮＧオブジェクトを識別可能な情報であれば、そのような情報であってもよい。
【００３６】
このような状態において、情報処理装置１００は、対象情報記憶部１２２を参照することで、共有コンテンツＳｈＣ１１の中に、各提供主により指定されるＮＧオブジェクトが含まれるか否かを判定する。例えば、情報処理装置１００は、共有コンテンツＳｈＣ１１を解析することにより、共有コンテンツＳｈＣ１１に含まれるオブジェクトが何であるかを特定する。図１の例では、情報処理装置１００は、共有コンテンツＳｈＣ１１に含まれるオブジェクトが「人物Ｏ１、人物ＮＰ１、人物ＮＰ２」であることを特定したものとする。そうすると、情報処理装置１００は、対象情報記憶部１２２に記憶される「ＮＧオブジェクト」と、「人物Ｏ１」、「人物ＮＰ１」、「人物ＮＰ２」それぞれとのマッチングを行うことにより、共有コンテンツＳｈＣ１１の中に、各提供主により指定される「ＮＧオブジェクト」が含まれるか否かを判定する。
【００３７】
図１に示す対象情報記憶部１２２の例では、事業主Ｍ１が「人物Ｏ１」をＮＧオブジェクトとして指定している。したがって、情報処理装置１００は、共有コンテンツＳｈＣ１１の中には、「人物Ｏ１」がＮＧオブジェクトとして含まれると判定する。
【００３８】
情報処理装置１００は、ステップＳ１４の判定処理において、共有コンテンツＳｈＣ１１にＮＧオブジェクトが含まれるとの判定結果を得たことに応じて、共有コンテンツＳｈＣ１１の閲覧を制限する制御処理を行う（ステップＳ１５）。具体的には、情報処理装置１００は、サービスＳＡ１でのユーザによる閲覧を制限する制御処理を行う。例えば、情報処理装置１００は、動画コンテンツＶＣ１のデータから、共有コンテンツＳｈＣ１１のデータを抽出する。そして、情報処理装置１００は、抽出した共有コンテンツＳｈＣ１１について、ＮＧオブジェクトである「人物Ｏ１」の少なくとも一部分をぼかすぼかし処理（ブラーをかける）を行う。この点について、図２を用いて説明する。図２は、実施形態にかかる情報処理に含まれる制御処理の一例を示す図である。
【００３９】
例えば、共有コンテンツＳｈＣ１１は、図２に示すように、動画ファイルＦ１１−１、動画ファイルＦ１１−２、動画ファイルＦ１１−３、動画ファイルＦ１１−４、といった４つの動画ファイルによって構成されるものとする。そして、共有コンテンツＳｈＣ１１は、再生時間１２０分の動画コンテンツＶＣ１のうち、時間位置４０分〜４０．５分までの３０秒間の動画コンテンツＶＣ１に対応する。そして、図２の例では、動画ファイルＦ１１−１、Ｆ１１−２、Ｆ１１−３には、ＮＧオブジェクトである「人物Ｏ１」が含まれる。したがって、情報処理装置１００は、「人物Ｏ１」の少なくとも一部分として、「顔」にブラー（ぼかし）をかけるといった制御処理を行う。例えば、情報処理装置１００は、「人物Ｏ１」の「顔」に対応する円領域ＡＲ１に対してブラーをかけることにより、「人物Ｏ１」であることをユーザが容易には特定不可能な状態に制御する。
【００４０】
なお、「人物Ｏ１」の閲覧を制限する制御処理であれば、情報処理装置１００は、「人物Ｏ１」をいかなる態様に編集する制御処理を行ってもよい。例えば、情報処理装置１００は、「人物Ｏ１」の顔をぼかすのではなく、「人物Ｏ１」の顔を黒塗りにしてもよい。また、情報処理装置１００は、「人物Ｏ１」の顔だけでなく、全体をぼかしてもよいし、黒塗りにしてもよい。
【００４１】
一方、情報処理装置１００は、ＮＧオブジェクトの対象になっていない「人物ＮＰ１」および「人物ＮＰ２」には、閲覧を制限する制御処理を行わない。
【００４２】
そして、情報処理装置１００は、制御処理を行った処理済みの共有コンテンツＳｈＣ１１を、サービスＳＡ１を提供するサーバ装置であるＳＮＳ装置６０に送信する（ステップＳ１６）。例えば、情報処理装置１００は、処理済みの共有コンテンツＳｈＣ１１をＳＮＳ装置６０にアップロードする。そうすると、ＳＮＳ装置６０は、情報処理装置１００によってアップロードされた共有コンテンツＳｈＣ１１を、サービスＳＡ１を利用するユーザ間において共有可能なように、サービスＳＡ１に投稿する。
【００４３】
これにより、サービスＳＡ１を利用するユーザＵ１以外の他のユーザは、ユーザＵ１の投稿コメント「この動画おススメです！」とともに、処理済みの共有コンテンツＳｈＣ１１を閲覧することができるようになる。処理済みの共有コンテンツＳｈＣ１１では、「人物Ｏ１」の顔はぼやかされているため、他のユーザは、処理済みの共有コンテンツＳｈＣ１１を視聴する限りでは、「人物Ｏ１」であることを容易には特定できない場合が多い。そして、他のユーザは、顔がぼやかされていることにより、この人物は誰なのだろうと興味を高められる。このように人物への興味が高まると、結果的に、共有コンテンツＳｈＣ１１そのもの、つまり動画コンテンツＶＣ１自体への興味を高められる可能性がある。そうすると、他のユーザは、動画コンテンツＶＣ１を視聴するために動画サイトＳＴを利用しようとするため、動画サイトＳＴの集客性が高まることに繋がる。
【００４４】
さて、これまで説明してきたように、実施形態にかかる情報処理装置１００は、所定のサービスにおいてコンテンツを共有させる際の権利対象に関する情報である対象情報を取得し、取得した対象情報に基づいて、コンテンツに対する所定のサービスでの閲覧を制限する所定の制御処理を行う。例えば、情報処理装置１００は、コンテンツに対する権利を有するコンテンツ提供元（製作主）により指定された権利対象に閲覧制限をかける。そして、情報処理装置１００は、権利対象に閲覧制限がかけられたコンテンツを共有させる。これにより、情報処理装置１００は、権利対象のコンテンツを保護しつつ、権利対象のコンテンツや動画サイトＳＴに対する集客性を高めることができる。
【００４５】
なお、図１の例では、情報処理装置１００が、共有コンテンツに権利対象のオブジェクトが含まれる場合に、この権利対象のオブジェクトに閲覧制限をかけた状態で、共有コンテンツを共有させる例を示した。しかし、情報処理装置１００は、共有コンテンツに権利対象のコンテンツ（例えば、共有コンテンツを一部分に含むメインの動画コンテンツのワンシーン）に対する所定のサービスでの閲覧を制限する制御処理を行ってもよい。この点については後述する。
【００４６】
〔２．情報処理装置の構成〕
次に、図４を用いて、実施形態にかかる情報処理装置１００について説明する。図４は、実施形態にかかる情報処理装置１００の構成例を示す図である。図４に示すように、情報処理装置１００は、通信部１１０と、記憶部１２０と、制御部１３０とを有する。例えば、情報処理装置１００は、図１で説明した情報処理を行うサーバ装置である。
【００４７】
（通信部１１０について）
通信部１１０は、例えば、ＮＩＣ（Network  Interface  Card）等によって実現される。そして、通信部１１０は、ネットワークと有線または無線で接続され、例えば、端末装置１０、提供主装置３０、ＳＮＳ装置６０との間で情報の送受信を行う。
【００４８】
（記憶部１２０について）
記憶部１２０は、例えば、ＲＡＭ（Random  Access  Memory)、フラッシュメモリ等の半導体メモリ素子またはハードディスク、光ディスク等の記憶装置によって実現される。記憶部１２０は、動画コンテンツ記憶部１２１と、対象情報記憶部１２２と、シェア情報記憶部１２３とを有する。
【００４９】
（動画コンテンツ記憶部１２１について）
動画コンテンツ記憶部１２１は、コンテンツを記憶する。例えば、動画コンテンツ記憶部１２１は、提供主から提供された動画コンテンツを記憶する。ここで、図５に実施形態にかかる動画コンテンツ記憶部１２１の一例を示す。図５の例では、動画コンテンツ記憶部１２１は、「提供主ＩＤ」、「提供主名」、「コンテンツＩＤ」、「コンテンツ」といった項目を有する。
【００５０】
「提供主ＩＤ」は、動画コンテンツの提供主（動画コンテンツの製作主、または、コンテンツプロバイダー）を識別する識別情報を示す。「提供主名」は、提供主の名称を示す。例えば、提供主が法人である場合には、「提供主名」には、提供主を示す法人名が入力される。「コンテンツＩＤ」は、提供主によって提供された動画コンテンツを識別する識別情報を示す。「コンテンツ」は、提供主によって提供された動画コンテンツそのものであり、例えば、動画コンテンツのデータを示す。
【００５１】
すなわち、図５の例では、提供主ＩＤ「Ｍ１」によって識別される事業主（事業主Ｍ１）の名称は「Ａ社」であり、事業主Ｍ１がコンテンツＩＤ「ＶＣ１」によって識別される動画コンテンツ（動画コンテンツＶＣ１）を提供（入稿）した例を示す。
【００５２】
（対象情報記憶部１２２について）
対象情報記憶部１２２は、所定のサービス（例えば、サービスＳＡ１）においてコンテンツを共有させる際の権利対象に関する情報である対象情報を記憶する。ここで、図６に実施形態にかかる対象情報記憶部１２２の一例を示す。図６の例では、対象情報記憶部１２２は、「提供主ＩＤ」、「ＮＧオブジェクト」、「ＮＧコンテンツ」といった項目を有する。また、「ＮＧコンテンツ」は、「基本コンテンツＩＤ」および「ＮＧシーン」といった項目を含む。図６に示す対象情報記憶部１２２は、図１で説明した対象情報記憶部１２２をより具体化したものである。
【００５３】
「提供主ＩＤ」は、動画コンテンツの提供主（動画コンテンツの製作主、または、コンテンツプロバイダー）を識別する識別情報を示す。「ＮＧオブジェクト」は、所定のサービス（例えば、サービスＳＡ１）において共有される共有コンテンツに含まれる場合に視聴を制限するよう指定されるオブジェクトを示す。また、「ＮＧオブジェクト」は、事業主Ｔ２に係る権利処理の対象となっているオブジェクトと言い換えることができる。
【００５４】
「ＮＧコンテンツ」に対応する「基本コンテンツＩＤ」は、「ＮＧシーン」をワンシーンに含む大元の動画コンテンツを識別する識別情報を示す。「ＮＧシーン」は、「基本コンテンツＩＤ」によって識別される動画コンテンツの中に含まれる一部分のコンテンツ（すなわち、ワンシーン）であって、所定のサービス（例えば、サービスＳＡ１）での共有を禁止するよう指定される指定コンテンツに対応する。また、「ＮＧシーン」は、事業主Ｔ２に係る権利処理の対象となっている指定コンテンツと言い換えることができる。また、例えば、提供主は、動画コンテンツの中で、肖像権等に関与する人物、建造物、作品等のオブジェクト（ＮＧオブジェクト）を含むシーンや、その他ＳＮＳで共有されることを禁止するシーンを指定する。例えば、提供主は、動画コンテンツに対応する時間位置の範囲を指定することで、この時間位置の範囲内のシーンの共有を禁止する。
【００５５】
すなわち、図６の例では、提供主ＩＤ「Ｍ１」によって識別される事業主（事業主Ｍ１）が、「人物Ｏ１および人物Ｏ２」がユーザによって指定された共有コンテンツに含まれる場合には、「人物Ｏ１および人物Ｏ２」に対して視聴制限を設けるよう指定している例を示す。また、図６の例では、事業主Ｍ４が、基本コンテンツＩＤ「ＶＣ４」によって識別される動画コンテンツ（動画コンテンツＶＣ４）の中で、時間位置３２．４分〜３５．０分に対応するシーン（ＮＧＣ４）を、共有を禁止する「ＮＧシーン」として指定している例を示す。
【００５６】
（シェア情報記憶部１２３について）
シェア情報記憶部１２３は、所定のサービス（例えば、サービスＳＡ１）において共有させる共有コンテンツに関する情報を記憶する。ここで、図７に実施形態にかかるシェア情報記憶部１２３の一例を示す。図７の例では、シェア情報記憶部１２３は、「ユーザＩＤ」、「投稿先」、「基本コンテンツＩＤ」、「共有コンテンツ」といった項目を有する。
【００５７】
「ユーザＩＤ」は、ユーザを識別する識別情報を示す。「投稿先」は、「共有コンテンツ」の投稿先を示すサービスであって、どのサービスで共有コンテンツを共有したいかを示す情報である。図１の例では、ユーザＵ１がサービスＳＡ１に対応する投稿ボタンＢＴ２を押下している。かかる場合、「投稿先」には、サービスＳＡ１の識別情報「ＳＡ１」が入力される。「基本コンテンツＩＤ」は、「共有コンテンツ」をワンシーンとして含む大元の動画コンテンツを識別する識別情報を示す。
【００５８】
「共有コンテンツ」は、「基本コンテンツＩＤ」によって識別される動画コンテンツのうち、所定のサービス（例えば、サービスＳＡ１）で共有させる一部分である共有コンテンツであって、ユーザにより指定された共有コンテンツを識別する識別情報を示す。例えば、情報処理装置１００は、基本コンテンツＩＤ「ＶＣ１」によって識別される動画コンテンツＶＣ１の再生時間（１２０分）のうち、共有コンテンツの開始位置に相当する時間位置を指定させることで、指定された時間位置から３０秒後までの３０秒間のシーンを共有コンテンツとして認識する。このため、図７の例では、ユーザＵ１が、共有コンテンツの開始位置として、時間位置４０分を指定したことにより、動画コンテンツＶＣ１のうち、時間位置４０分〜４０．５分までの３０秒間のシーンが共有コンテンツＳｈＣ１１として認識された例を示す。
【００５９】
（制御部１３０について）
図３に戻り、制御部１３０は、ＣＰＵ（Central  Processing  Unit）やＭＰＵ（Micro  Processing  Unit）等によって、情報処理装置１００内部の記憶装置に記憶されている各種プログラムがＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００６０】
図３に示すように、制御部１３０は、入稿受付部１３１と、取得部１３２と、指定受付部１３３と、判定部１３４と、コンテンツ制御部１３５と、投稿部１３６とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００６１】
（入稿受付部１３１について）
入稿受付部１３１は、コンテンツの入稿を受け付ける。例えば、入稿受付部１３１は、動画コンテンツの提供主（動画コンテンツの製作主、または、コンテンツプロバイダー）から動画コンテンツの入稿を受け付ける。また、入稿受付部１３１は、入稿されたコンテンツを動画コンテンツ記憶部１２１に格納する。
【００６２】
（取得部１３２について）
取得部１３２は、所定のサービスにおいてコンテンツを共有させる際の権利対象に関する情報である対象情報を取得する。例えば、取得部１３２は、権利対象として、コンテンツの配信を行う配信業者に係る権利処理の対象となっているオブジェクトに関する対象情報を取得する。また、例えば、取得部１３２は、対象情報として、オブジェクトであって、所定のサービスにおいて共有されるコンテンツ（共有コンテンツ）に含まれる場合に視聴を制限するよう指定されるオブジェクトを示す情報を取得する。例えば、取得部１３２は、「ＮＧオブジェクト」の指定を受け付ける。
【００６３】
また、取得部１３２は、権利対象として、コンテンツの配信を行う配信業者に係る権利処理の対象となっているコンテンツに関する対象情報を取得する。例えば、取得部１３２は、対象情報として、コンテンツに含まれる一部分のコンテンツであって、所定のサービスでの共有を禁止するよう指定される指定コンテンツを示す情報を取得する。例えば、取得部１３２は、指定コンテンツとして、コンテンツの配信を行う配信業者に係る権利処理の対象となっているオブジェクトを含む指定コンテンツを示す情報を取得する。例えば、取得部１３２は、「ＮＧコンテンツ」の指定を受け付ける。
【００６４】
例えば、取得部１３２は、提供主から対象情報を取得する。例えば、取得部１３２は、提供主から対象情報の指定を受け付ける。また、取得部１３２は、取得した対象情報を対象情報記憶部１２２に格納する。例えば、取得部１３２は、対象情報として、「ＮＧオブジェクト」を示す情報を対象情報記憶部１２２に格納する。また、取得部１３２は、「ＮＧコンテンツ」を示す情報として、「ＮＧシーン」に対応する時間位置と、「基本コンテンツＩＤ」との組合せを対象情報記憶部１２２に格納する。また、取得部は、判定部１３４が判定処理を行う際に、対象情報記憶部１２２から対象情報を取得する。
【００６５】
（指定受付部１３３について）
指定受付部１３３は、コンテンツのうち、所定のサービスで共有させる当該コンテンツの一部分（ワンシーン）である共有コンテンツの指定をユーザから受け付ける。図１の例を用いて説明すると、例えば、ユーザＵ１が端末装置１０を用いてサービスＳＡ１に対応する投稿ボタンＢＴ２を押下した場合には、指定受付部１３３は、端末装置１０を介して、共有コンテンツの指定を受け付ける。例えば、ユーザＵ１が、共有コンテンツの開始位置として、動画コンテンツＶＣ１の時間位置４０分を指定した状態で投稿ボタンＢＴ２を押下した場合には、指定受付部１３３は、動画コンテンツＶＣ１の時間位置４０分が指定されたことを示す指定情報を端末装置１０から受け付ける。そして、指定受付部１３３は、動画コンテンツＶＣ１のうち、時間位置４０分〜４０．５分までの３０秒間のシーンを共有コンテンツＳｈＣ１１として認識する。
【００６６】
また、指定受付部１３３は、共有コンテンツを示す情報をシェア情報記憶部１２３に格納する。例えば、指定受付部１３３は、「共有コンテンツ」を示す時間位置（時間範囲）と、共有コンテンツに対する基本コンテンツの「基本コンテンツＩＤ」とを対応付けてシェア情報記憶部１２３に格納する。
【００６７】
（判定部１３４について）
判定部１３４は、対象情報記憶部１２２に記憶される対象情報に基づいて、所定のサービスで共有させる一部分である共有コンテンツであって、ユーザにより指定された共有コンテンツに対象情報が含まれるか否かを判定する。例えば、判定部１３４は、対象情報記憶部１２２に記憶される対象情報に基づいて、ユーザにより指定された共有コンテンツに、所定のサービスでの視聴を制限するよう指定されるオブジェクト（ＮＧオブジェクト）が含まれるか否か、または、所定のサービスでの共有を禁止するよう指定される指定コンテンツ（ＮＧシーン）が含まれるか否かを判定する。ここで、かかる判定処理について、図１および図６の例を用いて説明する。
【００６８】
図１の例では、指定受付部１３３は、共有コンテンツとして、動画コンテンツＶＣ１中の時間位置４０分〜４０．５分の３０秒間に対応するワンシーンである共有コンテンツＳｈＣ１１の指定をユーザＵ１から受け付けている。このため、判定部１３４は、共有コンテンツＳｈＣ１１に、提供主によって指定されるＮＧオブジェクトが含まれるか否か、または、提供主によって指定されるＮＧシーンが含まれるか否かを判定する。
【００６９】
例えば、判定部１３４は、共有コンテンツＳｈＣ１１を解析することにより、共有コンテンツＳｈＣ１１に含まれるオブジェクトが何であるかを特定する。例えば、判定部１３４は、共有コンテンツＳｈＣ１１に含まれるオブジェクトが「人物Ｏ１、人物ＮＰ１、人物ＮＰ２」であることを特定したものとする。そうすると、判定部１３４、対象情報記憶部１２２に記憶される「ＮＧオブジェクト」と、「人物Ｏ１」、「人物ＮＰ１」、「人物ＮＰ２」それぞれとのマッチングを行うことにより、共有コンテンツＳｈＣ１１の中に、各提供主により指定される「ＮＧオブジェクト」が含まれるか否かを判定する。
【００７０】
図６に示す対象情報記憶部１２２の例では、事業主Ｍ１が「人物Ｏ１」をＮＧオブジェクトとして指定している。したがって、判定部１３４は、共有コンテンツＳｈＣ１１の中には、「人物Ｏ１」がＮＧオブジェクトとして含まれると判定する。
【００７１】
また、判定部１３４、共有コンテンツＳｈＣ１１を一部分とする大元の動画コンテンツ、すなわち共有コンテンツＳｈＣ１１に対応する基本コンテンツが、動画コンテンツＶＣ１であることから、対象情報記憶部１２２に記憶される「ＮＧシーン」であって、基本コンテンツＩＤ「ＶＣ１」が対応付けられる「ＮＧシーン」を抽出する。例えば、判定部１３４、かかる「ＮＧシーン」を示す時間範囲を対象情報記憶部１２２から抽出する。そして、判定部１３４、共有コンテンツＳｈＣ１１を示す時間範囲「時間位置４０分〜４０．５分」に、かかる「ＮＧシーン」を示す時間範囲の少なくとも一部が含まれるか否かを判定する。図６の例では、基本コンテンツＩＤ「ＶＣ１」が対応付けられる「ＮＧシーン」がそもそも存在しないため、判定部１３４は、共有コンテンツＳｈＣ１１には、提供主によって指定されるＮＧシーンが含まれないと判定する。
【００７２】
したがって、ユーザＵ１の例では、判定部１３４は、共有コンテンツＳｈＣ１１の中にはＮＧオブジェクトである「人物Ｏ１」が含まれると判定する一方で、共有コンテンツＳｈＣ１１にはＮＧシーンが含まれないと判定する。このように、共有コンテンツの中にＮＧオブジェクトが含まれるとの判定結果を「判定結果パターン１」とする。
【００７３】
ここで、図１では不図示であるが、指定受付部１３３は、共有コンテンツとして、動画コンテンツＶＣ４中の時間位置３２分〜３２．５分の３０秒間に対応するワンシーンである共有コンテンツＳｈＣ４２の指定をユーザＵ４から受け付けたとする。このため、判定部１３４は、共有コンテンツＳｈＣ４２に、提供主によって指定されるＮＧオブジェクトが含まれるか否か、または、提供主によって指定されるＮＧシーンが含まれるか否かを判定する。
【００７４】
例えば、判定部１３４は、共有コンテンツＳｈＣ４２を解析することにより、共有コンテンツＳｈＣ４２に含まれるオブジェクトが何であるかを特定する。例えば、判定部１３４は、共有コンテンツＳｈＣ４２に含まれるオブジェクトが「人物ＮＰ１、人物ＮＰ２」であることを特定したものとする。そうすると、判定部１３４、対象情報記憶部１２２に記憶される「ＮＧオブジェクト」と、「人物ＮＰ１」、「人物ＮＰ２」それぞれとのマッチングを行うことにより、共有コンテンツＳｈＣ４２の中に、各提供主により指定される「ＮＧオブジェクト」が含まれるか否かを判定する。
【００７５】
図６に示す対象情報記憶部１２２の例では、「人物ＮＰ１」、「人物ＮＰ２」ともにＮＧオブジェクトとして指定されていない。したがって、判定部１３４は、共有コンテンツＳｈＣ４２の中にはＮＧオブジェクトが含まれないと判定する。
【００７６】
また、判定部１３４、共有コンテンツＳｈＣ４２を一部分とする大元の動画コンテンツ、すなわち共有コンテンツＳｈＣ４２に対応する基本コンテンツが、動画コンテンツＶＣ４であることから、対象情報記憶部１２２に記憶される「ＮＧシーン」であって、基本コンテンツＩＤ「ＶＣ４」が対応付けられる「ＮＧシーン」を抽出する。例えば、判定部１３４は、図６の例では、かかる「ＮＧシーン」（シーンＮＧＣ４）を示す時間範囲として、「時間位置３２．４分〜３５分」を対象情報記憶部１２２から抽出する。そして、判定部１３４、共有コンテンツＳｈＣ４２を示す時間範囲「時間位置３２分〜３２．５分」に、シーンＮＧＣ４を示す時間範囲「時間位置３２．４分〜３５分」の少なくとも一部が含まれるか否かを判定する。かかる例では、判定部１３４は、シーンＮＧＣ４を示す時間範囲「時間位置３２．４分〜３５分」のうち「時間位置３２．４分〜３２．５分」の１０秒間が、共有コンテンツＳｈＣ４２を示す時間範囲「時間位置３２分〜３２．５分」に含まれると判定する。
【００７７】
したがって、ユーザＵ４の例では、判定部１３４は、共有コンテンツＳｈＣ４２の中にはＮＧオブジェクトが含まれないと判定する一方で、共有コンテンツＳｈＣ４２にはＮＧシーンが含まれると判定する。このように、共有コンテンツの中にＮＧシーンが含まれるとの判定結果を「判定結果パターン２」とする。
【００７８】
なお、上記例では、判定部１３４が、１つの共有コンテンツに対してＮＧオブジェクトのみが含まれるか、あるいは、１つの共有コンテンツに対してＮＧコンテンツのみが含まれると判定する例を示した。しかし、共有コンテンツの状況によっては、判定部１３４は、１つの共有コンテンツにＯＧオブジェクトおよびＮＧコンテンツの両方が含まれると判定する場合もある。
【００７９】
（コンテンツ制御部１３５について）
コンテンツ制御部１３５は、取得部１３２により取得された対象情報に基づいて、コンテンツに対する所定のサービスでの視聴を制限する所定の制御処理を行う。例えば、コンテンツ制御部１３５は、所定の制御処理として、対象情報が示すコンテンツ（ＮＧシーン）を所定のサービスで共有不可能な状態に制御する。
【００８０】
まず、「判定結果パターン１」の場合での制御処理について説明する。コンテンツ制御部１３５は、対象情報に基づいて、所定のサービスにおいて共有されるコンテンツに、ＮＧオブジェクトが含まれると判定された場合には、当該ＮＧオブジェクトに対して所定の制御処理を行う。具体的には、コンテンツ制御部１３５は、対象情報に基づいて、動画コンテンツのうち、所定のサービスで共有させる一部分（ワンシーン）である共有コンテンツであって、ユーザにより指定された共有コンテンツに、ＮＧオブジェクトが含まれると判定された場合には、当該ＮＧオブジェクトに対して所定の制御処理を行う。
【００８１】
例えば、コンテンツ制御部１３５は、所定の制御処理として、ＮＧオブジェクトの少なくとも一部分に対して所定の編集を加える。例えば、コンテンツ制御部１３５は、所定の制御処理として、ＮＧオブジェクトの少なくとも一部分をぼかすぼかし処理を行う。
【００８２】
図１のように、ユーザＵ１に指定された共有コンテンツＳｈＣ１１について「判定結果パターン１」が得られた場合を例に挙げると、コンテンツ制御部１３５は、動画コンテンツ記憶部１２１に格納される動画コンテンツＶＣ１から、共有コンテンツＳｈＣ１１を抽出する。そして、コンテンツ制御部１３５は、図２で説明したように、共有コンテンツＳｈＣ１１を構成する動画ファイルのうち、ＮＧオブジェクトである「人物Ｏ１」の顔をぼやかす。図２の例では、共有コンテンツＳｈＣ１１を構成する４つの動画ファイルのうち、動画ファイルＦ１１−１、Ｆ１１−２、Ｆ１１−３には、ＮＧオブジェクトである「人物Ｏ１」が含まれる。かかる場合、コンテンツ制御部１３５は、「人物Ｏ１」の少なくとも一部分として、「顔」にブラー（ぼかし）をかけるといった制御処理を行う。例えば、コンテンツ制御部１３５は、「人物Ｏ１」の「顔」に対応する円領域ＡＲ１に対してブラーをかけることにより、「人物Ｏ１」であることをユーザが容易には特定不可能な状態に制御する。また、コンテンツ制御部１３５は、処理済みの共有コンテンツＳｈＣ１１を投稿部１３６に送信する。
【００８３】
次に、「判定結果パターン２」の場合での制御処理について説明する。コンテンツ制御部１３５は、対象情報に基づいて、所定のサービスにおいて共有されるコンテンツに、対象情報が示すコンテンツが含まれると判定された場合には、当該対象情報が示すコンテンツに対して所定の制御処理を行う。具体的には、コンテンツ制御部１３５は、対象情報に基づいて、動画コンテンツのうち、所定のサービスで共有させる一部分（ワンシーン）である共有コンテンツであって、ユーザにより指定された共有コンテンツに、ＮＧシーン（指定コンテンツの一例）が含まれると判定された場合には、当該ＮＧシーンに対して、所定の制御処理を行う。
【００８４】
例えば、コンテンツ制御部１３５は、所定の制御処理として、所定のサービスにおいて共有されるコンテンツの中から、ＮＧコンテンツを除外する。ユーザＵ４に指定された共有コンテンツＳｈＣ４２について「判定結果パターン２」が得られた場合を例に挙げると、コンテンツ制御部１３５は、動画コンテンツ記憶部１２１に格納される動画コンテンツＶＣ４から、共有コンテンツＳｈＣ４２を抽出する。ここで、上記例では、判定部１３４は、「ＮＧシーン」を示す時間範囲「時間位置３２．４分〜３５分」のうち「時間位置３２．４分〜３２．５分」の１０秒間が、共有コンテンツＳｈＣ４２を示す時間範囲「時間位置３２分〜３２．５分」に含まれると判定している。したがって、かかる場合、コンテンツ制御部１３５は、共有コンテンツＳｈＣ４２から、ＮＧシーンを除外する。具体的には、コンテンツ制御部１３５は、共有コンテンツＳｈＣ４２から、「時間位置３２．４分〜３２．５分」の１０秒間の部分（ＮＧシーン）を除外する。
【００８５】
なお、かかる制御処理により、当初３０秒であった共有コンテンツＳｈＣ４２が、２０秒となる。したがって、コンテンツ制御部１３５は、例えば、動画コンテンツＶＣ４のうちＮＧシーンとして指定されていないシーンを、２０秒となった共有コンテンツＳｈＣ４２に対して付加してもよい。例えば、コンテンツ制御部１３５は、動画コンテンツＶＣ４のうち、ＮＧシーンとして指定されていないシーンであって１０秒間のシーンを抽出する。そして、コンテンツ制御部１３５は、抽出したこの１０秒のシーンを、２０秒の共有コンテンツＳｈＣ４２の後に付加することにより、共有コンテンツＳｈＣ４２の再生長を３０秒に戻してもよい。
【００８６】
また、コンテンツ制御部１３５は、共有コンテンツＳｈＣ４２から、「時間位置３２．４分〜３２．５分」の１０秒間の部分（ＮＧシーン）を除外するのではなく、このＮＧシーン全体をぼやかす制御処理を行ってもよい。また、コンテンツ制御部１３５は、処理済みの共有コンテンツＳｈＣ４２を投稿部１３６に送信する。
【００８７】
（投稿部１３６について）
投稿部１３６は、コンテンツ制御部１３５により制御処置された処理済みの共有コンテンツを所定のサービス（例えば、ＳＮＳ）に投稿する。具体的には、投稿部１３６は、コンテンツ制御部１３５により制御処置された処理済みの共有コンテンツが、所定のサービス（例えば、ＳＮＳ）においてユーザ間で共有されるよう、所定のサービスを提供するＳＮＳ装置６０に送信する。例えば、投稿部１３６は、ユーザに指定された投稿先に対応するＳＮＳを提供するＳＮＳ装置６０に対して、処理済みの共有コンテンツを送信する。
【００８８】
図１の例では、ユーザＵ１がサービスＳＡ１に対応する投稿ボタンＢＴ２を押下することで、指定情報を情報処理装置１００に送信している。つまり、ユーザＵ１は、共有コンテンツＳｈＣ１を、サービスＳＡを利用するユーザ間で共有したいため、サービスＳＡ１に対応する投稿ボタンＢＴ２を押下している。したがって、かかる例では、投稿部１３６は、ＳＮＳの１つであるサービスＳＡ１を提供するＳＮＳ装置６０に対して、処理済みの共有コンテンツＳｈＣ１１を送信する。
【００８９】
〔３．処理手順〕
次に、図８を用いて、実施形態にかかる情報処理の手順について説明する。図８は、実施形態にかかる情報処理手順を示すフローチャートである。図８の例では、情報処理装置１００は、提供主から対象情報を取得済みであるものとする。
【００９０】
まず、指定受付部１３３は、動画コンテンツの中で、ユーザ間で共有したい部分（ワンシーン）である共有コンテンツの指定をユーザから受け付けたか否かを判定する（ステップＳ１０１）。また、指定受付部１３３は、例えば、どのサービスのユーザ間で共有コンテンツを共有したいかといった、共有先（投稿先）のサービスの指定も受け付ける。例えば、指定受付部１３３は、共有コンテンツの指定と、共有先（投稿先）のサービスの指定を同時に受け付けることができる。
【００９１】
例えば、指定受付部１３３は、動画コンテンツの再生時間の中で共有コンテンツの開始位置となる時間位置の指定（指定情報）を受け付けたか否かを判定する。指定受付部１３３は、共有コンテンツの指定を受け付けていない場合には（ステップＳ１０１；Ｎｏ）、受け付けるまで待機する。
【００９２】
一方、判定部１３４は、指定受付部１３３により共有コンテンツの指定を受け付けたと判定された場合には（ステップＳ１０１；Ｙｅｓ）、ユーザにより指定された共有コンテンツに対象情報が含まれるか否かを判定する判定処理を行う（ステップＳ１０２）。例えば、判定部１３４は、共有コンテンツに対象情報の一つであるＮＧオブジェクトが含まれるか否かを判定する。例えば、判定部１３４は、共有コンテンツを解析することにより、共有コンテンツに含まれるオブジェクト（人物、建造物、作品等）を特定する。そして、判定部１３４は、特定したオブジェクトと、対象情報の一つであるＮＧオブジェクトとのマッチングを行うことで、共有コンテンツにＮＧオブジェクトが含まれるか否かを判定する。
【００９３】
また、例えば、判定部１３４は、共有コンテンツに対象情報の一つであるＮＧコンテンツ（ＮＧシーン）が含まれるか否かを判定する。例えば、判定部１３４は、共有コンテンツを示す時間範囲に、「ＮＧシーン」を示す時間範囲の少なくとも一部が含まれるか否かを判定する。判定部１３４は、共有コンテンツを示す時間範囲に、「ＮＧシーン」を示す時間範囲の少なくとも一部が含まれる場合には、共有コンテンツにＮＧシーンが含まれると判定する。
【００９４】
次に、コンテンツ制御部１３５は、判定部１３４による判定結果に基づいて、共有コンテンツに含まれる対象情報に対して、ユーザに指定されたサービスでの視聴を制限する制御処理を行う（ステップＳ１０３）。例えば、コンテンツ制御部１３５は、判定部１３４により共有コンテンツにＮＧオブジェクトが含まれると判定された場合には、ＮＧオブジェクトの少なくとも一部分に対して所定の編集を加える。例えば、コンテンツ制御部１３５は、所定の制御処理として、ＮＧオブジェクトの少なくとも一部分をぼかすぼかし処理を行う。
【００９５】
また、例えば、コンテンツ制御部１３５は、判定部１３４により共有コンテンツにＮＧシーンが含まれると判定された場合には、所定のサービスにおいて共有されるコンテンツの中から、ＮＧコンテンツを除外する。
【００９６】
次に、投稿部１３６は、共有コンテンツがユーザに指定された共有先（投稿先）にて共有されるよう、共有コンテンツをユーザに指定された共有先（投稿先）に対応するＳＮＳ装置６０にアップロードする（ステップＳ１０４）。投稿部１３６は、共有コンテンツにＮＧオブジェクトおよびＮＧシーンが含まれず制御処理されなかった場合には、この未処理のままの共有コンテンツをＳＮＳ装置６０に送信する。一方、投稿部１３６は、共有コンテンツにＮＧオブジェクトまたはＮＧシーンが含まれていたことにより制御処理された場合には、処理済みの共有コンテンツをＳＮＳ装置６０に送信する。そして、ＳＮＳ装置６０は、情報処理装置１００から受け付けた共有コンテンツをＳＮＳ内で共有させる。
【００９７】
〔４．変形例〕
上記実施形態にかかる情報処理装置１００は、上記実施形態以外にも種々の異なる形態にて実施されてよい。そこで、以下では、情報処理装置１００の他の実施形態について説明する。
【００９８】
〔４−１．ＮＧシーンを共有不可能に制御（１）〕
上記実施形態では、情報処理装置１００が、共有コンテンツにＮＧシーンが含まれると自判定した場合には、共有コンテンツからこのＮＧシーンを除外する例を示した。しかし、そもそもＮＧシーンが含まれる共有コンテンツをユーザが指定できないよう、ＮＧシーンに対して制御を行っておいてもよい。例えば、コンテンツ制御部１３５は、ＮＧシーンがユーザに指定される共有コンテンツに含まれてしまうことが無いよう、ＮＧシーンに対して所定の制御処理を行う。この点について、上述した「判定結果パターン２」の例を用いて説明する。
【００９９】
「判定結果パターン２」では、判定部１３４は、共有コンテンツＳｈＣ４２の中にはＮＧオブジェクが含まれないと判定する一方で、共有コンテンツＳｈＣ４２にはＮＧシーン（シーンＮＧＣ４）が含まれると判定している。かかる場合、コンテンツ制御部１３５は、共有コンテンツＳｈＣ４２にはＮＧシーンが含まれることから、共有コンテンツＳｈＣ４２の指定は無効であることをユーザＵ４に提示する。例えば、コンテンツ制御部１３５は、共有コンテンツＳｈＣ４２の開始位置である時間位置「３２分」が指定された場合には、「この位置を指定することはできません」のような警告を端末装置１０に表示させる。
【０１００】
これにより、情報処理装置１００は、ＮＧシーンを含まないように共有コンテンツを指定させることができるため、ＮＧシーンを保護しつつ、動画コンテンツＶＣ４や動画サイトＳＴに対する集客性を高めることができる。
【０１０１】
〔４−２．ＮＧシーンを共有不可能に制御（２）〕
また、コンテンツ制御部１３５は、共有コンテンツにはＮＧシーン場合、その共有コンテンツの指定は無効であることを提示するのではなく、動画コンテンツのうち、ＮＧシーンを含まないシーンを提示する。そして、コンテンツ制御部１３５は、このシーンの中で共有コンテンツとなるシーンを指定するようレコメンドする。この点についても、上述した「判定結果パターン２」の例を用いて説明する。
【０１０２】
例えば、コンテンツ制御部１３５は、動画コンテンツＶＣ４について共有コンテンツの指定（開始位置の指定）が受け付けられる前の段階で、動画コンテンツＶＣ４のうちＮＧシーン（シーンＮＧＣ４）を含まない部分（シーン）を提示することにより、この部分（シーン）の中から任意の位置を共有コンテンツとして指定するようユーザＵ４にレコメンドする。
【０１０３】
図６の例では、動画コンテンツＶＣ４のうち、時間範囲「時間位置３２．４分〜３５分」がＮＧシーンとして指定されている。したがって、かかる場合、動画コンテンツＶＣ４のうちＮＧシーン（シーンＮＧＣ４）を含まない部分（シーン）は、「０分〜３２．４分」および「３５分〜」である。このため、コンテンツ制御部１３５は、「０分〜３２．４分」および「３５分〜」といった範囲内のシーンを共有コンテンツとして指定するようユーザＵ４にレコメンドする。
【０１０４】
これにより、情報処理装置１００は、ＮＧシーンを含まないように共有コンテンツを指定させることができるため、ＮＧシーンを保護しつつ、動画コンテンツＶＣ４や動画サイトＳＴに対する集客性を高めることができる。
【０１０５】
〔４−３．音声加工処理〕
上記実施形態では、ユーザが共有しようとする共有コンテンツに権利処理の対象となっているオブジェクトが含まれる場合には、情報処理装置１００が、このオブジェクトに閲覧制限をかけた状態で、共有コンテンツをＳＮＳサービスに投稿する例を示した。例えば、図１および図２の例では、情報処理装置１００が、共有コンテンツＳｈＣ１１の中にＮＧオブジェクトである「人物Ｏ１」が含まれていることにより、「人物Ｏ１」の一部をぼかす処理を行ったうえで、共有コンテンツＳｈＣ１１をＳＮＳサービスに投稿する例を示した。
【０１０６】
しかし、情報処理装置１００は、共有コンテンツに権利処理の対象となっているオブジェクトが含まれる場合には、このオブジェクトの発話音声に制限をかけた状態で、共有コンテンツをＳＮＳサービスに投稿してもよい。具体的には、コンテンツ制御部１３５は、ＳＮＳサービスでの視聴を制限する制御処理として、オブジェクト（人物）の発話音声を加工する音声加工処理を行う。例えば、コンテンツ制御部１３５は、音声加工処理として、発話音声の音程（キー）を変更する変更する変更処理、発話音声を消去する処理、発話音声のピッチを変更する変更する変更処理、発話音声の音量を変更する変更する変更処理のうちの少なくともいずれか１つを行う。この点について、図１および図２の例を用いて説明する。
【０１０７】
まず、図１の例では、判定部１３４は、共有コンテンツＳｈＣ１１の中には、「人物Ｏ１」がＮＧオブジェクトとして含まれると判定する。したがって、コンテンツ制御部１３５は、共有コンテンツＳｈＣ１１にＮＧオブジェクトが含まれるとの判定結果を得たことに応じて、共有コンテンツＳｈＣ１１の視聴を制限する制御処理を行う。具体的には、コンテンツ制御部１３５は、サービスＳＡ１でのユーザによる視聴を制限する制御処理を行う。例えば、コンテンツ制御部１３５は、動画コンテンツＶＣ１のデータから、共有コンテンツＳｈＣ１１のデータを抽出する。そして、コンテンツ制御部１３５は、抽出した共有コンテンツＳｈＣ１１について、ＮＧオブジェクトである「人物Ｏ１」の発話音声を加工する音声加工処理を行う。ここでは、コンテンツ制御部１３５が、発話音声の音程（キー）を変更する例を挙げる。
【０１０８】
共有コンテンツＳｈＣ１１は、図２に示すように、動画ファイルＦ１１−１、動画ファイルＦ１１−２、動画ファイルＦ１１−３、動画ファイルＦ１１−４、といった４つの動画ファイルによって構成されるものとする。また、図２の例では、動画ファイルＦ１１−１、Ｆ１１−２、Ｆ１１−３には、ＮＧオブジェクトである「人物Ｏ１」が含まれる。したがって、コンテンツ制御部１３５は、動画ファイルＦ１１−１、Ｆ１１−２、Ｆ１１−３に含まれる音声データであって、「人物Ｏ１」の発話音声に対応する音声データを抽出し、抽出した音声データのキーを変更する。なお、このときコンテンツ制御部１３５は、音声データのピッチや音量も合わせて変更することもできる。
【０１０９】
そして、投稿部１３６は、音声加工処理が行われた処理済みの共有コンテンツＳｈＣ１１を、サービスＳＡ１を提供するサーバ装置であるＳＮＳ装置６０に送信する。例えば、投稿部１３６は、処理済みの共有コンテンツＳｈＣ１１をＳＮＳ装置６０にアップロードする。
【０１１０】
このように、実施形態にかかる情報処理装置１００は、権利処理の対象となっているオブジェクトの発話音声を制御することにより、権利処理の対象となっているオブジェクトを含むコンテンツに対するＳＮＳサービスでの視聴を制限する。権利対象のコンテンツを保護しつつ、権利対象のコンテンツに対する集客性を高めることができる。
【０１１１】
なお、本変形例では、コンテンツ制御部１３５が、ＮＧオブジェクトである「人物Ｏ１」の発話音声を加工する音声加工処理を行う例を示したが、既に説明済みのぼかし処理も合わせて行ってもよい。
【０１１２】
〔５．ハードウェア構成〕
また、上記実施形態にかかる情報処理装置１００は、例えば図９に示すような構成のコンピュータ１０００によって実現される。図９は、情報処理装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１１３】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１１４】
ＨＤＤ１４００は、ＣＰＵ１１００によって実行されるプログラム、および、かかるプログラムによって使用されるデータ等を格納する。通信インターフェイス１５００は、通信網５０を介して他の機器からデータを受信してＣＰＵ１１００へ送り、ＣＰＵ１１００が生成したデータを、通信網５０を介して他の機器へ送信する。
【０１１５】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを、入出力インターフェイス１６００を介して出力装置へ出力する。
【０１１６】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１１７】
例えば、コンピュータ１０００が実施形態にかかる情報処理装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、記憶部１２０内のデータが格納される。コンピュータ１０００のＣＰＵ１１００は、これらのプログラムを、記録媒体１８００から読み取って実行するが、他の例として、他の装置から、通信網５０を介してこれらのプログラムを取得してもよい。
【０１１８】
〔６．その他〕
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１１９】
以上、本願の実施形態をいくつかの図面に基づいて詳細に説明したが、これらは例示であり、発明の開示の欄に記載の態様を始めとして、当業者の知識に基づいて種々の変形、改良を施した他の形態で本発明を実施することが可能である。
【０１２０】
また、上述してきた「部（section、module、unit）」は、「手段」や「回路」などに読み替えることができる。例えば、取得部は、取得手段や取得回路に読み替えることができる。
【符号の説明】
【０１２１】
１  情報処理システム
１０  端末装置
３０  提供主装置
６０  ＳＮＳ装置
１００  情報処理装置
１２０  記憶部
１２１  動画コンテンツ記憶部
１２２  対象情報記憶部
１２３  シェア情報記憶部
１３０  制御部
１３１  入稿受付部
１３２  取得部
１３３  指定受付部
１３４  判定部
１３５  コンテンツ制御部
１３６  投稿部
【図１】
2020072397.tif 000003
【図２】
2020072397.tif 000004
【図３】
2020072397.tif 000005
【図４】
2020072397.tif 000006
【図５】
2020072397.tif 000007
【図６】
2020072397.tif 000008
【図７】
2020072397.tif 000009
【図８】
2020072397.tif 000010
【図９】
2020072397.tif 000011
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
顧客の事業主からコンテンツの入稿を受け付ける入稿受付部と、
前記コンテンツが提供されるサービスとは異なる所定のサービスにおいて前記コンテンツの一部分を共有させる際の権利対象であって、前記事業主に係る権利対象に関する情報である対象情報を取得する取得部と、
前記取得部により取得された対象情報に基づいて、前記コンテンツに対する前記所定のサービスでの視聴を制限する所定の制御処理を行うコンテンツ制御部と
を有することを特徴とする情報処理装置。  
【請求項２】
前記取得部は、前記権利対象として、前記事業主に係る権利処理の対象となっているオブジェクトに関する前記対象情報を取得する
ことを特徴とする請求項１に記載の情報処理装置。
【請求項３】
前記取得部は、前記対象情報として、前記オブジェクトであって、前記所定のサービスにおいて共有される前記コンテンツに含まれる場合に視聴を制限するよう指定されるオブジェクトを示す情報を取得する
ことを特徴とする請求項２に記載の情報処理装置。
【請求項４】
前記コンテンツ制御部は、前記対象情報に基づいて、前記所定のサービスにおいて共有される前記コンテンツに、前記オブジェクトが含まれると判定された場合には、当該オブジェクトに対して前記所定の制御処理を行う
ことを特徴とする請求項２または３に記載の情報処理装置。
【請求項５】
前記コンテンツ制御部は、前記対象情報に基づいて、前記コンテンツのうち、前記所定のサービスで共有させる一部分である共有コンテンツであって、ユーザにより指定された共有コンテンツに、前記オブジェクトが含まれると判定された場合には、当該オブジェクトに対して前記所定の制御処理を行う
ことを特徴とする請求項４に記載の情報処理装置。
【請求項６】
前記コンテンツ制御部は、前記所定の制御処理として、前記オブジェクトの少なくとも一部分に対して所定の編集を加える
ことを特徴とする請求項２〜５のいずれか１つに記載の情報処理装置。
【請求項７】
前記コンテンツ制御部は、前記所定の制御処理として、前記オブジェクトの少なくとも一部分をぼかすぼかし処理を行う
ことを特徴とする請求項２〜６のいずれか１つに記載の情報処理装置。
【請求項８】
前記コンテンツ制御部は、前記所定の制御処理として、前記オブジェクトの発話音声を加工する音声加工処理を行う
ことを特徴とする請求項２〜７のいずれか１つに記載の情報処理装置。
【請求項９】
前記コンテンツ制御部は、前記音声加工処理として、前記発話音声の音程を変更する変更する変更処理、前記発話音声を消去する処理、前記発話音声のピッチを変更する変更する変更処理、前記発話音声の音量を変更する変更する変更処理のうちの少なくともいずれか１つを行う
ことを特徴とする請求項８に記載の情報処理装置。
【請求項１０】
前記取得部は、前記権利対象として、前記事業主に係る権利処理の対象となっているコンテンツに関する前記対象情報を取得する
ことを特徴とする請求項１〜９のいずれか１つに記載の情報処理装置。
【請求項１１】
前記取得部は、前記対象情報として、前記コンテンツに含まれる一部分のコンテンツであって、前記所定のサービスでの共有を禁止するよう指定される指定コンテンツを示す情報を取得する
ことを特徴とする請求項１０に記載の情報処理装置。
【請求項１２】
前記取得部は、前記指定コンテンツとして、前記事業主に係る権利処理の対象となっているオブジェクトを含む指定コンテンツを示す情報を取得する
ことを特徴とする請求項１１に記載の情報処理装置。
【請求項１３】
前記コンテンツ制御部は、前記対象情報に基づいて、前記所定のサービスにおいて共有される前記コンテンツに、前記対象情報が示すコンテンツが含まれると判定された場合には、当該対象情報が示すコンテンツに対して前記所定の制御処理を行う
ことを特徴とする請求項１１または１２に記載の情報処理装置。
【請求項１４】
前記コンテンツ制御部は、前記対象情報に基づいて、前記コンテンツのうち、前記所定のサービスで共有させる一部分である共有コンテンツであって、ユーザにより指定された共有コンテンツに、前記対象情報が示すコンテンツが含まれると判定された場合には、当該対象情報が示すコンテンツに対して、前記所定の制御処理を行う
ことを特徴とする請求項１３に記載の情報処理装置。
【請求項１５】
前記コンテンツ制御部は、前記所定の制御処理として、前記対象情報が示すコンテンツを前記所定のサービスで共有不可能な状態に制御する
ことを特徴とする請求項１１〜１４のいずれか１つに記載の情報処理装置。
【請求項１６】
前記コンテンツ制御部は、前記所定の制御処理として、前記所定のサービスにおいて共有される前記コンテンツの中から、前記対象情報が示すコンテンツを除外する
ことを特徴とする請求項１５に記載の情報処理装置。
【請求項１７】
情報処理装置が実行する情報処理方法であって、
顧客の事業主からコンテンツの入稿を受け付ける入稿受付工程と、
前記コンテンツが提供されるサービスとは異なる所定のサービスにおいて前記コンテンツの一部分を共有させる際の権利対象であって、前記事業主に係る権利対象に関する情報である対象情報を取得する取得工程と、
前記取得工程により取得された対象情報に基づいて、前記コンテンツに対する前記所定のサービスでの視聴を制限する所定の制御処理を行うコンテンツ制御工程と
含むことを特徴とする情報処理方法。
【請求項１８】
顧客の事業主からコンテンツの入稿を受け付ける入稿受付手順と、
前記コンテンツが提供されるサービスとは異なる所定のサービスにおいて前記コンテンツの一部分を共有させる際の権利対象であって、前記事業主に係る権利対象に関する情報である対象情報を取得する取得手順と、
前記取得手順により取得された対象情報に基づいて、前記コンテンツに対する前記所定のサービスでの視聴を制限する所定の制御処理を行うコンテンツ制御手順と
をコンピュータに実行させることを特徴とする情報処理プログラム。
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
顧客の事業主からコンテンツの入稿を受け付ける入稿受付部と、
前記コンテンツが提供されるサービスとは異なる所定のサービスにおいて前記コンテンツの一部分を共有させる際の権利対象であって、前記事業主に係る権利対象に関する情報である対象情報を取得する取得部と、
前記取得部により取得された対象情報に基づき、前記所定のサービスで共有させる前記一部分である共有コンテンツであって、前記コンテンツの再生範囲のうちユーザにより指定された再生範囲に対応する共有コンテンツに、前記権利対象が含まれると判定された場合には、前記対象情報に基づいて、前記共有コンテンツに対する前記所定のサービスでの視聴を制限する所定の制御処理を行うコンテンツ制御部と
を有することを特徴とする情報処理装置。
【請求項２】
前記取得部は、前記権利対象として、前記事業主に係る権利処理の対象となっているオブジェクトに関する前記対象情報を取得する
ことを特徴とする請求項１に記載の情報処理装置。
【請求項３】
前記取得部は、前記対象情報として、前記オブジェクトであって、前記共有コンテンツに含まれる場合に視聴を制限するよう指定されるオブジェクトを示す情報を取得する
ことを特徴とする請求項２に記載の情報処理装置。
【請求項４】
前記コンテンツ制御部は、前記対象情報に基づいて、前記共有コンテンツに、前記オブジェクトが含まれると判定された場合には、当該オブジェクトに対して前記所定の制御処理を行う
ことを特徴とする請求項２または３に記載の情報処理装置。
【請求項５】
前記コンテンツ制御部は、前記所定の制御処理として、前記オブジェクトの少なくとも一部分に対して所定の編集を加える
ことを特徴とする請求項２〜４のいずれか１つに記載の情報処理装置。
【請求項６】
前記コンテンツ制御部は、前記所定の制御処理として、前記オブジェクトの少なくとも一部分をぼかすぼかし処理を行う
ことを特徴とする請求項２〜５のいずれか１つに記載の情報処理装置。
【請求項７】
前記コンテンツ制御部は、前記所定の制御処理として、前記オブジェクトの発話音声を加工する音声加工処理を行う
ことを特徴とする請求項２〜６のいずれか１つに記載の情報処理装置。
【請求項８】
前記コンテンツ制御部は、前記音声加工処理として、前記発話音声の音程を変更する変更する変更処理、前記発話音声を消去する処理、前記発話音声のピッチを変更する変更する変更処理、前記発話音声の音量を変更する変更する変更処理のうちの少なくともいずれか１つを行う
ことを特徴とする請求項７に記載の情報処理装置。
【請求項９】
前記取得部は、前記権利対象として、前記事業主に係る権利処理の対象となっているコンテンツに関する前記対象情報を取得する
ことを特徴とする請求項１〜８のいずれか１つに記載の情報処理装置。
【請求項１０】
前記取得部は、前記対象情報として、前記コンテンツに含まれる一部分のコンテンツであって、前記所定のサービスでの共有を禁止するよう指定される指定コンテンツを示す情報を取得する
ことを特徴とする請求項９に記載の情報処理装置。
【請求項１１】
前記取得部は、前記指定コンテンツとして、前記事業主に係る権利処理の対象となっているオブジェクトを含む指定コンテンツを示す情報を取得する
ことを特徴とする請求項１０に記載の情報処理装置。
【請求項１２】
前記コンテンツ制御部は、前記対象情報に基づいて、前記共有コンテンツに、前記対象情報が示すコンテンツが含まれると判定された場合には、当該対象情報が示すコンテンツに対して前記所定の制御処理を行う
ことを特徴とする請求項１０または１１に記載の情報処理装置。
【請求項１３】
前記コンテンツ制御部は、前記所定の制御処理として、前記対象情報が示すコンテンツを前記所定のサービスで共有不可能な状態に制御する
ことを特徴とする請求項１０〜１２のいずれか１つに記載の情報処理装置。
【請求項１４】
前記コンテンツ制御部は、前記所定の制御処理として、前記所定のサービスにおいて共有される前記コンテンツの中から、前記対象情報が示すコンテンツを除外する
ことを特徴とする請求項１３に記載の情報処理装置。
【請求項１５】
情報処理装置が実行する情報処理方法であって、
顧客の事業主からコンテンツの入稿を受け付ける入稿受付工程と、
前記コンテンツが提供されるサービスとは異なる所定のサービスにおいて前記コンテンツの一部分を共有させる際の権利対象であって、前記事業主に係る権利対象に関する情報である対象情報を取得する取得工程と、
前記取得工程により取得された対象情報に基づき、前記所定のサービスで共有させる前記一部分である共有コンテンツであって、前記コンテンツの再生範囲のうちユーザにより指定された再生範囲に対応する共有コンテンツに、前記権利対象が含まれると判定された場合には、前記対象情報に基づいて、前記共有コンテンツに対する前記所定のサービスでの視聴を制限する所定の制御処理を行うコンテンツ制御工程と
含むことを特徴とする情報処理方法。
【請求項１６】
顧客の事業主からコンテンツの入稿を受け付ける入稿受付手順と、
前記コンテンツが提供されるサービスとは異なる所定のサービスにおいて前記コンテンツの一部分を共有させる際の権利対象であって、前記事業主に係る権利対象に関する情報である対象情報を取得する取得手順と、
前記取得手順により取得された対象情報に基づき、前記所定のサービスで共有させる前記一部分である共有コンテンツであって、前記コンテンツの再生範囲のうちユーザにより指定された再生範囲に対応する共有コンテンツに、前記権利対象が含まれると判定された場合には、前記対象情報に基づいて、前記共有コンテンツに対する前記所定のサービスでの視聴を制限する所定の制御処理を行うコンテンツ制御手順と
をコンピュータに実行させることを特徴とする情報処理プログラム。